(57)【特許請求の範囲】
【請求項１】
入力ビデオ信号における各フレームの対応する領域の輝度に応じた電流値に基づいて、前記フレーム間の電流値の差分を算出する差分算出部と、
前記算出された差分に基づいて、ビデオ信号を制御するためのゲインを前記入力ビデオ信号に応答させる速度を調節する応答制御値を選択する制御値選択部と、
前記応答制御値に基づいて、前記フレーム間の電流値の増加が急峻な場合に、前記ゲインを前記入力ビデオ信号に高速で応答させ、前記フレーム間の電流値の増加が緩慢な場合に、前記ゲインを前記入力ビデオ信号に低速で応答させる時間方向制御部とを備え、
前記制御値選択部は、
前記フレーム間における電流値が減少し、かつ、当該電流値の減少量が第１閾値より大きい場合に、前記ゲインを前記入力ビデオ信号に高速で応答させる前記応答制御値として、第１高速応答制御値を選択し、
前記フレーム間における電流値が減少し、かつ、当該電流値の減少量が第１閾値より小さい場合に、前記ゲインを前記入力ビデオ信号に低速で応答させる前記応答制御値として、第１低速応答制御値を選択し、
前記フレーム間における電流値が増加し、かつ、当該電流値の増加量が第２閾値より大きい場合に、前記ゲインを前記入力ビデオ信号に高速で応答させる前記応答制御値として、第２高速応答制御値を選択し、
前記フレーム間における電流値が増加し、かつ、当該電流値の増加量が第２閾値より小さい場合に、前記ゲインを前記入力ビデオ信号に低速で応答させる前記応答制御値として、第２低速応答制御値を選択し、
前記第１閾値は、前記第２閾値より大きい値に設定される
表示装置。
【請求項２】
テロップが出没していない場合に、前記ゲインを前記入力ビデオ信号に高速で応答させる高速応答制御値を選択し、テロップが出没した場合に、前記ゲインを前記入力ビデオ信号に低速で応答させる低速応答制御値を選択する制御値選択部を更に備え、
前記時間方向制御部は、前記応答制御値に基づいて、前記ゲインを前記入力ビデオ信号に応答させる速度を調節する、
請求項１に記載の表示装置。
【請求項３】
Ｃｏｄｅｃの情報に基づいて、前記ゲインを前記入力ビデオ信号に応答させる速度を調節する応答制御値を選択する制御値選択部を更に備え、
前記時間方向制御部は、前記応答制御値に基づいて、前記ゲインを前記入力ビデオ信号に応答させる速度を調節する、
請求項１に記載の表示装置。
【請求項４】
フレーム間における電流値の増加量を、前記ゲインを前記入力ビデオ信号に応答させる速度を調節する連続値である前記応答制御値に変換する信号変換部を更に備え、
前記時間方向制御部は、前記応答制御値に基づいて、前記ゲインを前記入力ビデオ信号に応答させる速度を調節する、
請求項１に記載の表示装置。
【請求項５】
自発光型の発光素子からなる表示部と、
ゲイン調整された前記入力ビデオ信号に応じて前記表示部の表示を制御する表示制御部と、
を更に備える、
請求項１に記載の表示装置。
【請求項６】
入力ビデオ信号における各フレームの対応する領域の輝度に応じた電流値に基づいて、前記フレーム間の電流値の差分を算出する差分算出機能と、
前記算出された差分に基づいて、ビデオ信号を制御するためのゲインを前記入力ビデオ信号に応答させる速度を調節する応答制御値を選択する制御値選択機能と、
前記応答制御値に基づいて、前記フレーム間の電流値の増加が急峻な場合に、前記ゲインを前記入力ビデオ信号に高速で応答させ、前記フレーム間の電流値の増加が緩慢な場合に、前記ゲインを前記入力ビデオ信号に低速で応答させる時間方向制御機能とを有し、
前記制御値選択機能は、
前記フレーム間における電流値が減少し、かつ、当該電流値の減少量が第１閾値より大きい場合に、前記ゲインを前記入力ビデオ信号に高速で応答させる前記応答制御値として、第１高速応答制御値を選択し、
前記フレーム間における電流値が減少し、かつ、当該電流値の減少量が第１閾値より小さい場合に、前記ゲインを前記入力ビデオ信号に低速で応答させる前記応答制御値として、第１低速応答制御値を選択し、
前記フレーム間における電流値が増加し、かつ、当該電流値の増加量が第２閾値より大きい場合に、前記ゲインを前記入力ビデオ信号に高速で応答させる前記応答制御値として、第２高速応答制御値を選択し、
前記フレーム間における電流値が増加し、かつ、当該電流値の増加量が第２閾値より小さい場合に、前記ゲインを前記入力ビデオ信号に低速で応答させる前記応答制御値として、第２低速応答制御値を選択し、
前記第１閾値は、前記第２閾値より大きい値に設定される
集積回路。
【請求項７】
入力ビデオ信号における各フレームの対応する領域の輝度に応じた電流値に基づいて、前記フレーム間の電流値の差分を算出するステップと、
前記算出された差分に基づいて、ビデオ信号を制御するためのゲインを前記入力ビデオ信号に応答させる速度を調節する応答制御値を選択するステップと、
前記応答制御値に基づいて、前記フレーム間の電流値の増加が急峻な場合に、前記ゲインを前記入力ビデオ信号に高速で応答させ、前記フレーム間の電流値の増加が緩慢な場合に、前記ゲインを前記入力ビデオ信号に低速で応答させるステップとを含み、
前記応答制御値を選択するステップは、
前記フレーム間における電流値が減少し、かつ、当該電流値の減少量が第１閾値より大きい場合に、前記ゲインを前記入力ビデオ信号に高速で応答させる前記応答制御値として、第１高速応答制御値を選択するステップと、
前記フレーム間における電流値が減少し、かつ、当該電流値の減少量が第１閾値より小さい場合に、前記ゲインを前記入力ビデオ信号に低速で応答させる前記応答制御値として、第１低速応答制御値を選択するステップと、
前記フレーム間における電流値が増加し、かつ、当該電流値の増加量が第２閾値より大きい場合に、前記ゲインを前記入力ビデオ信号に高速で応答させる前記応答制御値として、第２高速応答制御値を選択するステップと、
前記フレーム間における電流値が増加し、かつ、当該電流値の増加量が第２閾値より小さい場合に、前記ゲインを前記入力ビデオ信号に低速で応答させる前記応答制御値として、第２低速応答制御値を選択するステップと
を含み、
前記第１閾値は、前記第２閾値より大きい値に設定される
制御方法。
【発明の詳細な説明】
【技術分野】
【０００１】
本開示は、表示装置、集積回路及び制御方法に関する。
【背景技術】
【０００２】
自発光型の表示装置では、入力される電流値に応じた輝度で発光素子を発光させることにより、画像表示を行う。信号強度が一定値以上の画像信号又はビデオ信号が入力されると、表示装置の発光素子に過電流が流れてしまう。
【０００３】
そこで、信号強度が一定値以上の画像信号又はビデオ信号が入力された場合に、発光素子に過電流が流れないようにゲイン制御を行うことにより輝度を制限する、ＡＢＬ（Ａｕｔｏ  Ｂｒｉｇｈｔｎｅｓｓ  Ｌｉｍｉｔｅｒ；自動輝度制限）制御が行なわれている。例えば、下記の特許文献１では、表示部に入力される画像信号又はビデオ信号の平均電流値が、ある閾値を超えないようにフィードフォワード制御を行うＡＢＬ制御方法が開示されている。
【先行技術文献】
【特許文献】
【０００４】
【特許文献１】国際公開第２００８／１４３２０８号
【発明の概要】
【発明が解決しようとする課題】
【０００５】
特許文献１に記載の技術では、ＡＢＬ制御において、ゲインを入力信号に応答させる速度については考慮していない。
そのため、入力信号の平均電流値が増減を繰り返すと、その変化に応じてゲインが増減を繰り返すこととなる。その結果、表示部に表示される画像の輝度が増減を繰り返し、画質劣化を生じていた。
【０００６】
そこで、本技術は、上記のような事情を受けて考案されたものであり、入力信号にゲインを応答させる速度を自動調節するＡＢＬ制御を行うことが可能な、新規かつ改良された表示装置、集積回路及び制御方法を提供することを意図している。
【課題を解決するための手段】
【０００７】
本開示によれば、入力ビデオ信号における各フレームの対応する領域の輝度に応じた電流値に基づいて、前記フレーム間の電流値の差分を算出する差分算出部と、前記算出された差分に基づいて、ビデオ信号を制御するためのゲインを前記入力ビデオ信号に応答させる速度を調節する応答制御値を選択する制御値選択部と、前記応答制御値に基づいて、前記フレーム間の電流値の増加が急峻な場合に、前記ゲインを前記入力ビデオ信号に高速で応答させ、前記フレーム間の電流値の増加が緩慢な場合に、前記ゲインを前記入力ビデオ信号に低速で応答させる時間方向制御部とを備え、前記制御値選択部は、前記フレーム間における電流値が減少し、かつ、当該電流値の減少量が第１閾値より大きい場合に、前記ゲインを前記入力ビデオ信号に高速で応答させる前記応答制御値として、第１高速応答制御値を選択し、前記フレーム間における電流値が減少し、かつ、当該電流値の減少量が第１閾値より小さい場合に、前記ゲインを前記入力ビデオ信号に低速で応答させる前記応答制御値として、第１低速応答制御値を選択し、前記フレーム間における電流値が増加し、かつ、当該電流値の増加量が第２閾値より大きい場合に、前記ゲインを前記入力ビデオ信号に高速で応答させる前記応答制御値として、第２高速応答制御値を選択し、前記フレーム間における電流値が増加し、かつ、当該電流値の増加量が第２閾値より小さい場合に、前記ゲインを前記入力ビデオ信号に低速で応答させる前記応答制御値として、第２低速応答制御値を選択し、前記第１閾値は、前記第２閾値より大きい値に設定される表示装置が提供される。
【０００８】
また、本開示によれば、入力ビデオ信号における各フレームの対応する領域の輝度に応じた電流値に基づいて、前記フレーム間の電流値の差分を算出する差分算出機能と、前記算出された差分に基づいて、ビデオ信号を制御するためのゲインを前記入力ビデオ信号に応答させる速度を調節する応答制御値を選択する制御値選択機能と、前記応答制御値に基づいて、前記フレーム間の電流値の増加が急峻な場合に、前記ゲインを前記入力ビデオ信号に高速で応答させ、前記フレーム間の電流値の増加が緩慢な場合に、前記ゲインを前記入力ビデオ信号に低速で応答させる時間方向制御機能とを有し、前記制御値選択機能は、前記フレーム間における電流値が減少し、かつ、当該電流値の減少量が第１閾値より大きい場合に、前記ゲインを前記入力ビデオ信号に高速で応答させる前記応答制御値として、第１高速応答制御値を選択し、前記フレーム間における電流値が減少し、かつ、当該電流値の減少量が第１閾値より小さい場合に、前記ゲインを前記入力ビデオ信号に低速で応答させる前記応答制御値として、第１低速応答制御値を選択し、前記フレーム間における電流値が増加し、かつ、当該電流値の増加量が第２閾値より大きい場合に、前記ゲインを前記入力ビデオ信号に高速で応答させる前記応答制御値として、第２高速応答制御値を選択し、前記フレーム間における電流値が増加し、かつ、当該電流値の増加量が第２閾値より小さい場合に、前記ゲインを前記入力ビデオ信号に低速で応答させる前記応答制御値として、第２低速応答制御値を選択し、前記第１閾値は、前記第２閾値より大きい値に設定される集積回路が提供される。
【０００９】
また、本開示によれば、入力ビデオ信号における各フレームの対応する領域の輝度に応じた電流値に基づいて、前記フレーム間の電流値の差分を算出するステップと、前記算出された差分に基づいて、ビデオ信号を制御するためのゲインを前記入力ビデオ信号に応答させる速度を調節する応答制御値を選択するステップと、前記応答制御値に基づいて、前記フレーム間の電流値の増加が急峻な場合に、前記ゲインを前記入力ビデオ信号に高速で応答させ、前記フレーム間の電流値の増加が緩慢な場合に、前記ゲインを前記入力ビデオ信号に低速で応答させるステップとを含み、前記応答制御値を選択するステップは、前記フレーム間における電流値が減少し、かつ、当該電流値の減少量が第１閾値より大きい場合に、前記ゲインを前記入力ビデオ信号に高速で応答させる前記応答制御値として、第１高速応答制御値を選択するステップと、前記フレーム間における電流値が減少し、かつ、当該電流値の減少量が第１閾値より小さい場合に、前記ゲインを前記入力ビデオ信号に低速で応答させる前記応答制御値として、第１低速応答制御値を選択するステップと、前記フレーム間における電流値が増加し、かつ、当該電流値の増加量が第２閾値より大きい場合に、前記ゲインを前記入力ビデオ信号に高速で応答させる前記応答制御値として、第２高速応答制御値を選択するステップと、前記フレーム間における電流値が増加し、かつ、当該電流値の増加量が第２閾値より小さい場合に、前記ゲインを前記入力ビデオ信号に低速で応答させる前記応答制御値として、第２低速応答制御値を選択するステップとを含み、前記第１閾値は、前記第２閾値より大きい値に設定される制御方法が提供される。
【発明の効果】
【００１０】
以上説明したように本開示によれば、入力信号にゲインを応答させる速度を自動調節するＡＢＬ制御を行うことが可能な、新規かつ改良された表示装置、集積回路及び制御方法が提供される。
【図面の簡単な説明】
【００１１】
【図１】時間方向制御を行わないＡＢＬ制御について説明するための説明図である。
【図２】リニア変換について説明するための説明図である。
【図３】γ変換について説明するための説明図である。
【図４】テロップ出没時のＡＢＬ制御について説明するための説明図である。
【図５】テロップ出没によるゲイン変化について説明するための説明図である。
【図６】本開示の第１実施形態に係る表示装置１０の全体構成について説明するための説明図である。
【図７】同実施形態に係る時間方向制御部１１２が行う処理について説明するための説明図である。
【図８】高速でゲインを応答させる制御を行う場合の出力値の時間変化について説明するための説明図である。
【図９】低速でゲインを応答させる制御を行う場合の出力値の時間変化について説明するための説明図である。
【図１０】同実施形態に係る時間方向制御部１１２に入力される応答制御値について説明するための説明図である。
【図１１】同実施形態に係る時間方向制御部１１２の構成の一例について説明するための説明図である。
【図１２】同実施形態に係る制御値選択部１１０の構成の一例について説明するための説明図である。
【図１３】同実施形態に係るＡＢＬ制御部１００が行う処理の流れの一例について説明するための説明図である。
【図１４】同実施形態に係る時間方向制御部１１２が行う処理の流れの一例について説明するための説明図である。
【図１５】同実施形態に係る制御値選択部１１０が行う処理の流れの一例について説明するための説明図である。
【図１６】同実施形態による効果について説明するための説明図である。
【図１７】同実施形態に係る技術の第１変形例について説明するための説明図である。
【図１８】同実施形態に係る技術の第２変形例について説明するための説明図である。
【図１９】同実施形態に係る技術の第３変形例について説明するための説明図である。
【図２０】同実施形態に係る技術の第４変形例について説明するための説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１：はじめに
１−１：時間方向制御を行わないＡＢＬ制御について（図１）
１−２：テロップ出没時のＡＢＬ制御例（図４）
１−３：テロップ出没時のゲイン変化について（図５）
２：基本構成（時間方向制御を行うＡＢＬ制御）
２−１：表示装置１０の構成（図６）
２−２：時間方向制御部１１２
２−２−１：時間方向制御部１１２が行う処理（図７）
２−２−２：高速でゲインを応答させる制御を行う場合の例（図８）
２−２−３：低速でゲインを応答させる制御を行う場合の例（図９）
２−２−４：入力される応答制御値（図１０）
２−２−５：時間方向制御部１１２の構成例（図１１）
２−３：制御値選択部１１０が行う処理（図１２）
２−４：処理の流れ
２−４−１：ＡＢＬ制御部１００が行う処理の流れ（図１３）
２−４−２：時間方向制御部１１２が行う処理の流れ（図１４）
２−４−３：制御値選択部１１０が行う処理の流れ（図１５）
２−５：時間方向制御による効果（図１６）
３：変形例
３−１：第１変形例（信号変換により応答制御値を算出；図１７）
３−２：第２変形例（２つの閾値により応答制御値を選択；図１８）
３−３：第３変形例（テロップの有無情報を利用；図１９）
３−４：第４変形例（Ｃｏｄｅｃ情報を利用；図２０）
４：まとめ
【００１４】
＜１：はじめに＞
［１−１：時間方向制御を行わないＡＢＬ制御について（図１）］
まず、図１〜図３を参照しながら時間方向制御を行わない場合のＡＢＬ制御について説明する。
【００１５】
ＡＢＬ制御は、ＯＬＥＤ（Ｏｒｇａｎｉｃ  Ｌｉｇｈｔ−Ｅｍｉｔｔｈｉｎｇ  Ｄｉｏｄｅ）ディスプレイ、ＦＥＤ（Ｆｉｅｌｄ  Ｅｍｉｓｓｉｏｎ  Ｄｉｓｐｌａｙ）、ＳＥＤ（Ｓｕｒｆａｃｅ−Ｃｏｎｄｕｃｔｉｏｎ  Ｅｌｅｃｔｒｏｎ−Ｅｍｉｔｔｅｒ  Ｄｉｓｐｌａｙ）、ＰＤＰ（Ｐｌａｓｍａ  Ｄｉｓｐｌａｙ  Ｐａｎｅｌ）などの自発光型の表示装置に対して行われる。
【００１６】
図１は、時間方向制御を行わないＡＢＬ制御について説明するための説明図である。図１に示すように、ＡＢＬ制御部５００を含む表示装置に、画像信号又はビデオ信号が入力される。但し、当該画像信号又はビデオ信号は、後述する表示部１１８に表示した際に最適な表示状態になる信号であるとは限らない。
【００１７】
そのため、まず、ＡＢＬ制御部５００のリニア変換部１０２は、入力された画像信号又はビデオ信号を、表示部１１８に最適な信号へとリニア変換（ウィンドウレベル変換）する。以下では、リニア変換の概要及びリニア変換部１０２が行う処理について説明する。
【００１８】
リニア変換とは、γ空間に圧縮された画像信号又はビデオ信号を、光強度（輝度）に比例する値に変換することを言う。上述したように、輝度と電流値の関係は、比例しているので、電流値に変換する事と等価である。
【００１９】
図２は、リニア変換について説明するための説明図である。ｘは、γ空間に圧縮された画像信号又はビデオ信号を表す。また、ｙは、光強度（輝度）に比例する信号を表す。リニア変換では、例えば図２に示すように、関数ｙ＝ｘ２．２に従って、γ空間に圧縮された画像信号又はビデオ信号ｘを、光強度（輝度）に比例する信号ｙに変換する。
【００２０】
以上、リニア変換の概要及びリニア変換部１０２が行う処理について説明した。次に、一画面電流平均値算出部１０４が行う処理について説明する。
【００２１】
一画面電流平均値算出部１０４には、リニア変換部１０２により変換された画像信号として電流値が入力される。一画面電流平均値算出部１０４は、入力された画像に含まれる画素について、電流値の平均値を算出する。また、一画面電流平均値算出部１０４にビデオ信号が入力された場合には、各フレームに含まれる画素ごとの電流値の平均値を算出する。
【００２２】
なお、本稿において、入力された画像に含まれる画素又は入力されたビデオ信号の各フレームに含まれる画素について算出された電流値の平均値を、一画面電流平均値ともよぶこととする。一画面電流平均値算出部１０４は、算出した一画面電流平均値を、ゲイン算出部１０６に出力する。また、一画面とは、画像信号における一画像、又はビデオ信号における一フレームをさす。
【００２３】
ゲイン算出部１０６は、入力された一画面電流平均値に基づいて、各画面の輝度を調節するためのゲインを算出する。ゲイン算出部１０６のゲイン算出方法は、入力された一画面電流平均値によって、以下の２通りに分類できる。
【００２４】
（入力された一画面電流平均値が閾値ＴＨより小さい場合）
ゲイン算出部１０６は、ゲインＧを１．０（フルゲイン）と算出する。入力された一画面電流平均値Ｉが閾値ＴＨ以下である場合には、その値をそのまま表示部１１８に入力しても、表示部１１８の発光素子に過電流が流れることがないためである。
【００２５】
（入力された一画面電流平均値が閾値ＴＨ以上の場合）
ゲイン算出部１０６は、ゲインＧを、関数Ｇ＝ＴＨ／Ｉに従って算出する。なお、Ｉは、ゲイン算出部１０６に入力される一画面電流平均値である。入力された一画面電流平均値Ｉが大きくなるほど、ゲインＧは一画面電流平均値Ｉに反比例して小さくなるように算出される。
【００２６】
入力された一画面電流平均値Ｉが閾値ＴＨ以上の場合には、そのままの値を表示部１１８に入力すると、表示部１１８の発光素子に過電流が流れてしまう。そのため、ゲインＧを一画面電流平均値Ｉに反比例するように調節し、表示部１１８の発光素子に過電流が流れることを防止する。
【００２７】
ゲイン算出部１０６は、上記２通りいずれかのゲイン算出方法によりゲインを算出すると、算出したゲインをゲイン制御部１１４に出力する。
【００２８】
ゲイン制御部１１４には、上記のように、リニア変換部１０２により変換された画像信号又はビデオ信号が入力される。また、上記のように、ゲイン制御部１１４には、ゲイン算出部１０６により算出された各画面のゲインが入力される。
【００２９】
ゲイン制御部１１４は、リニア変換後の画像又はビデオに含まれる各画素の電流値に、算出されたゲインを乗算することにより、表示部１１８に入力する画像信号又はビデオ信号を生成する。
【００３０】
算出された一画面電流平均値が閾値ＴＨより小さい場合、リニア変換後の画像信号又はビデオ信号がそのまま表示部１１８に入力される。一方、算出された一画面電流平均値が閾値ＴＨ以上の場合、リニア変換後の画像信号又はビデオ信号の電流値に、ゲインＧが乗算された値が表示部１１８に入力される画像信号又はビデオ信号となる。
【００３１】
ゲイン制御部１１４は、ゲイン制御をした画像信号又はビデオ信号を、表示制御部１１６に出力する。表示制御部１１６は、入力された画像信号又はビデオ信号に基づいて表示部１１８の表示制御を行う。表示部１１８の入力がγ空間の信号を必要とする場合は、リニア変換部１０２で、リニア変換した信号をγ空間の信号に再変換する必要がある。表示部１１８の入力が、光強度（輝度）に比例する信号を必要とする場合は、このままでよい。
【００３２】
図３は、γ変換について説明するための説明図である。ｘ’は、光強度（輝度）に比例する信号を表す。また、ｙ’は、γ空間に圧縮された画像信号又はビデオ信号を表す。γ変換では、例えば図３に示すように、関数ｙ’＝ｘ’１／２．２に従って、光強度（輝度）に比例する信号ｘ’を、γ空間の信号ｙ’に再変換する。
【００３３】
以上、図１〜図３を参照しながら、時間方向制御を行なわない場合のＡＢＬ制御について説明した。
【００３４】
［１−２：テロップ出没時のＡＢＬ制御例（図４）］
以下では、図４を参照しながら、映像の途中でテロップが出没するビデオ信号が入力される場合に、ＡＢＬ制御により生じる現象について説明する。図４は、テロップ出没時のＡＢＬ制御について説明するための説明図である。
【００３５】
図４に示すように、ＡＢＬ制御を行う対象となるあるフレームＰ１に、人物Ｈ１と、背景Ｂ１と、テロップＴ１とが含まれる場合について考える。但し、フレームＰ１の前のフレームＰ０にはテロップが含まれず、フレームＰ１においてテロップが出現することとする。
【００３６】
ここで、入力されたビデオ信号に対し、ＡＢＬ制御部１００は、リアルタイムで処理を行い、表示部１１８部にビデオ信号を出力する必要がある。そのため、一般に、ＡＢＬ制御においては、入力ビデオ信号を制御するゲインを、フレームごとに算出する。つまり、入力ビデオ信号を、フレームに含まれる画素ごとに制御するわけではない。
【００３７】
テロップＴ１が出現すると、フレームＰ１全体の電流平均値が高くなる。フレームＰ１の一画面電流平均値がゲイン算出における上記閾値ＴＨ以上の場合、入力されたフレームＰ１は、ＡＢＬ制御によりフレームＰ１ＡＢＬのように制御されて表示部１１８に表示されることとなる。
【００３８】
図４に示すように、ＡＢＬ制御後のフレームＰ１ＡＢＬにおいて、輝度が安定してほしい人物Ｈ１ＡＢＬや背景Ｂ１ＡＢＬなどのテロップＴ１ＡＢＬ以外の部分が、テロップ出現時に瞬間的に暗くなってしまうことがある。
【００３９】
また、テロップが消滅した場合には、輝度の変化が生じる。この場合でも、画面全体をＡＢＬ制御される結果、テロップ以外の人物や背景の部分の輝度が瞬間的に変化してしまう。
【００４０】
以上、図４を参照しながら、映像の途中でテロップが出没するビデオ信号が入力される場合に、ＡＢＬ制御により生じる現象について説明した。
【００４１】
［１−３：テロップ出没時のゲイン変化について（図５）］
以下では、図５を参照しながら、テロップ出没によるゲイン変化について説明する。図５は、テロップ出没によるゲイン変化について説明するための説明図である。
【００４２】
図５に示すように、ゲイン算出部１０６は、入力される一画面電流平均値Ｉが閾値ＴＨまでは、ゲインＧをフルゲインである１．０と算出する。また、ゲイン算出部１０６は、入力される一画面電流平均値Ｉが閾値ＴＨ以上のＡＢＬ動作領域において、ゲインＧを関数Ｇ＝ＴＨ／Ｉに従って算出する。
【００４３】
ＡＢＬ動作領域において、テロップの出現により一画面電流平均値ＩがＩ１からＩ２に増加した場合、その増加に応じてゲインＧはＧ１からＧ２へと減少する。また、テロップの消滅により一画面電流平均値ＩがＩ２からＩ１に減少した場合、その減少に応じてゲインＧはＧ２からＧ１へと増加する。
【００４４】
このように、テロップの出没などの画面の一部のみの入力信号の変化が生じた場合でも、当該画面のゲインが変化し、ＡＢＬ制御後の画面の輝度が短時間に変化してしまう。時間的に連続的な動画コンテンツの輝度の時間方向に急峻な変化は、人間に知覚されやすく、画質劣化を引き起こす原因となる。
【００４５】
一方で、動画コンテンツの再生において画面全体の入力信号の変化が生じる場合には、表示部１１８の発光素子や電源保護の観点から、過電流が流れないようにゲインを素早く調節する必要もある。
【００４６】
上記のような現象を踏まえて鋭意検討した結果、本発明者は、入力ビデオ信号に対してゲインを素早く調節する（換言すれば、ゲインを高速で応答させる）か、遅く調節する（換言すれば、ゲインを低速で応答させる）かを、入力ビデオ信号に応じて適切に選択可能な以下の技術に想到した。
【００４７】
具体的には、表示装置に入力ビデオ信号の電流値の増加が急峻な場合に、ゲインを入力ビデオ信号に高速で応答させ、増加が緩慢な場合に、ゲインを入力ビデオ信号に低速で応答させるＡＢＬ制御を考えた。
【００４８】
＜２：基本構成（時間方向制御を行うＡＢＬ制御）＞
［２−１：表示装置１０の構成（図６）］
以下では、図６を参照しながら、本開示の第１実施形態に係る表示装置１０の全体構成について説明する。図６は、本開示の第１実施形態に係る表示装置１０の全体構成について説明するための説明図である。表示装置１０は、例えば、静止画像を撮影可能なデジタルスチルカメラ、動画像を撮影可能なビデオカメラ、或いは、デジタルスチルカメラやビデオカメラと同等の撮像機能を搭載した携帯電話、ゲーム機、情報端末、パーソナルコンピュータなどである。
【００４９】
なお、図６に示した表示装置１０の全体構成は一例であり、一部の構成要素を変更したり、追加したり、削除したりしても良い。以下では、図６を参照しながら、表示装置１０の全体構成について説明する。但し、以下に示す表示装置１０の基本構成では、主にテロップの出現などによってビデオの輝度が増加する場合について説明する。ＡＢＬ制御が必要な場合は主に、ビデオの輝度が瞬間的に増加する場合であるためである。
【００５０】
表示装置１０は、ＡＢＬ制御部１００と、表示制御部１１６と、表示部１１８とを主に備える。また、ＡＢＬ制御部１００は、リニア変換部１０２と、一画面電流平均値算出部１０４と、ゲイン算出部１０６と、フレーム間差分算出部１０８と、制御値選択部１１０と、時間方向制御部１１２と、ゲイン制御部１１４とを備える。
【００５１】
ＡＢＬ制御部１００の構成要素のうち、リニア変換部１０２と、一画面電流平均値算出部１０４と、ゲイン算出部１０６と、ゲイン制御部１１４については時間方向制御を行なわないＡＢＬ制御部５００の構成要素の機能と同様である。
【００５２】
表示装置１０に入力されたビデオ信号は、リニア変換部１０２によりリニア変換される。リニア変換部１０２は、リニア変換したビデオ信号を、一画面電流平均値算出部１０４及びゲイン制御部１１４に出力する。
【００５３】
一画面電流平均値算出部１０４は、ビデオ信号の各フレームについて一画面電流平均値を算出すると、算出した一画面電流平均値を、ゲイン算出部１０６及びフレーム間差分算出部１０８に出力する。
【００５４】
ゲイン算出部１０６は、一画面電流平均値に基づいてゲインを算出すると、算出したゲインを、時間方向制御部１１２に出力する。
【００５５】
フレーム間差分算出部１０８は、入力されたフレームの一画面電流平均値と、当該フレームの直前に入力されたフレームの一画面電流平均値との差分（以下、フレーム間差分ともよぶこととする。）を算出する。フレーム間差分算出部１０８は、算出したフレーム間差分を、制御値選択部１１０に出力する。
【００５６】
テロップの出没などのように、フレームに含まれる一部の領域のみの輝度が変化する場合には、フレーム全体での一画面電流平均値の変化は小さい。そのため、動画コンテンツの場面転換など、フレーム全体の輝度が変化する場合と比較して、フレーム間差分は小さくなる。
【００５７】
つまり、フレーム間差分を算出することにより、入力ビデオ信号のフレーム全体の輝度が変化したか、又は入力ビデオ信号のフレームの一部の輝度のみが変化したかを判別できる。
【００５８】
制御値選択部１１０は、入力されたフレーム間差分に基づいて、時間方向制御部の応答制御値を２種類の値から選択する。制御値選択部１１０が行う処理の詳細については後述する。制御値選択部１１０は、算出した応答制御値を、時間方向制御部１１２に出力する。
【００５９】
時間方向制御部１１２は、制御値選択部１１０から入力された応答制御値に基づいて、ゲイン算出部１０６から入力されたゲインの時間方向の特性を制御する。具体的には、ゲイン算出部１０６は、応答制御値に基づいて、ゲイン算出部１０６から算出されたゲインを調節することにより、入力ビデオ信号に対するゲインの応答速度を大きくしたり小さくしたりする。
【００６０】
時間方向制御部１１２が行う処理については後述する。時間方向制御部１１２は、調節後のゲインを、ゲイン制御部１１４に出力する。
【００６１】
ゲイン制御部１１４は、リニア変換部１０２から入力されたリニア変換後のビデオ信号及び時間方向制御部１１２から入力されたゲインに基づいて、ビデオ信号のゲイン制御を行なう。表示制御部１１６は、ゲイン制御後のビデオ信号に基づいて、表示部１１８の表示制御を行う。
【００６２】
なお、以上では、一フレームを各部が行う処理の単位としたが、本実施形態に係る技術の適用範囲はこれに限定されない。例えば、一フレームを複数の領域に分割し、分割した領域ごとに平均電流値を算出し、算出した平均電流値に基づいてゲイン制御を行うようにしてもよい。
【００６３】
かかる構成により、フレームの領域ごとに適切なＡＢＬ制御を行うことが可能になる。
【００６４】
以上、図６を参照しながら、表示装置１０の全体構成について説明した。
【００６５】
［２−２：時間方向制御部１１２］
（２−２−１：時間方向制御部１１２が行う処理（図７））
以下では、図７〜図９を参照しながら、時間方向制御部１１２が行う処理について説明する。図７は、同実施形態に係る時間方向制御部１１２が行う処理について説明するための説明図である。図８は、高速でゲインを応答させる制御を行う場合の出力値の時間変化について説明するための説明図である。図９は、低速でゲインを応答させる制御を行う場合の出力値の時間変化について説明するための説明図である。
【００６６】
図７に示すように、時間方向制御部１１２は、入力値ＳＩＮに対する出力値ＳＯＵＴの応答速度を制御する。時間方向制御部１１２は、入力値ＳＩＮの変化に対する出力値ＳＯＵＴの応答速度を小さい場合とは、入力値ＳＩＮが変化しても出力値ＳＯＵＴの変化が小さい場合をさす。換言すれば、時間方向制御部１１２は、直前の出力値ＳＯＵＴの値を維持するように出力値ＳＯＵＴを算出する。
【００６７】
また、出力値ＳＩＮの変化に対する出力値ＳＯＵＴの応答速度が大きい場合とは、入力値ＳＩＮが変化すると、その変化に出力値ＳＯＵＴが素早く応答することをさす。
【００６８】
時間方向制御部１１２が、入力値ＳＩＮの変化に対して出力値ＳＯＵＴをどのような速度で変化させるかについては、時間方向制御部１１２の外部から制御が可能である。
【００６９】
表示装置１０においては、時間方向制御部１１２の入力値ＳＩＮは、ゲイン算出部１０６により算出されたゲインである。また、時間方向制御部１１２の出力値ＳＯＵＴは、ゲイン制御部１１４が入力ビデオ信号のゲイン制御を行う際に利用するゲインである。
【００７０】
（２−２−２：高速で応答させる制御を行う場合の例（図８））
図８は、入力値ＳＩＮをａからｂへと変化させた場合について、出力値ＳＯＵＴの時間変化を示している。図８におけるｔ＝０とは、入力値ＳＩＮをａからｂへと変化させた瞬間を示す。
【００７１】
図８に示すように、高速で応答させる制御を行う場合、入力値ＳＩＮの変化に応じて、出力値ＳＯＵＴもａからｂへと急激に変化する。表示装置１０の時間方向制御部１１２における入力値ＳＩＮは、入力ビデオ信号に基づいて、ゲイン算出部１０６により算出されたゲインＧＩＮである。また、表示装置１０の時間方向制御部１１２における出力値ＳＯＵＴは、ゲイン制御部１１４に入力されるゲインＧＯＵＴである。
【００７２】
図８に示すような応答制御を時間方向制御部１１２が行うことにより、ゲイン算出部１０６により算出されたゲインＧＩＮに、ゲイン制御部１１４に入力されるゲインＧＯＵＴが高速で応答することとなる。
【００７３】
つまり、入力ビデオ信号の変化に、ゲイン制御部１１４に入力されるゲインＧＯＵＴが高速で応答することとなる。
【００７４】
その結果、入力ビデオ信号の変化に応じて表示制御を素早く行い、発光素子に過電流が流れることを防止することが可能である。
【００７５】
（２−２−３：低速で応答させる制御を行う場合の例（図９）
図９は、図８と同様に入力値ＳＩＮをａからｂへと変化させた場合について、出力値ＳＯＵＴの時間変化を示している。
【００７６】
図９に示すように、低速で応答させる制御を行う場合、入力値ＳＩＮを変化させた時間ｔ＝０から、出力値ＳＯＵＴがｂになる時間までが、図８と比較して長くなる。出力値ＳＯＵＴは、ａからｂへと緩慢に変化する。
【００７７】
表示装置１０の時間方向制御部１１２における入力値ＳＩＮは、入力ビデオ信号に基づいて、ゲイン算出部１０６により算出されたゲインＧＩＮである。また、表示装置１０の時間方向制御部１１２における出力値ＳＯＵＴは、ゲイン制御部１１４に入力されるゲインＧＯＵＴである。
【００７８】
図９に示すような応答制御を時間方向制御部１１２が行うことにより、ゲイン算出部１０６により算出されたゲインＧＩＮに、ゲイン制御部１１４に入力されるゲインＧＯＵＴが低速で応答することとなる。
【００７９】
つまり、入力ビデオ信号の変化に、ゲイン制御部１１４に入力されるゲインＧＯＵＴが低速で応答することとなる。
【００８０】
その結果、入力ビデオ信号の一部の変化があっても表示部１１８の輝度が安定し、画質劣化を防止することができる。
【００８１】
（２−２−４：入力される応答制御値（図１０））
以下では、図１０を参照しながら、時間方向制御部１１２に入力される応答制御値について説明する。図１０は、本実施形態に係る時間方向制御部１１２に入力される応答制御値について説明するための説明図である。
【００８２】
一画面電流平均値算出部１０４は、表示装置１０に入力されたビデオ信号の各フレームについて、一画面電流平均値を算出する。フレーム間差分算出部１０８は、一画面電流平均値算出部１０４により算出された一画面電流平均値のフレーム間での差分（フレーム間差分）を算出する。
【００８３】
制御値選択部１１０は、フレーム間差分算出部１０８により算出されたフレーム間差分に応じて、時間方向制御部１１２の応答制御を行うための応答制御値ＶＣを算出し、時間方向制御部１１２に入力する。
【００８４】
以上、図７〜図１０を参照しながら、時間方向制御部１１２が行う処理について説明した。
【００８５】
（２−２−５：時間方向制御部１１２の構成例（図１１））
以下では、図１１を参照しながら、上記処理を行う時間方向制御部１１２の構成の一例について説明する。図１１は、本実施形態に係る時間方向制御部１１２の構成の一例について説明するための説明図である。
【００８６】
時間方向制御部１１２には、ゲイン算出部１０６により算出されたゲインＧＩＮが入力される。時間方向制御部１１２に入力されたゲインＧＩＮは、加算部１２２及び加算部１２６に入力される。
【００８７】
ここで、時間方向制御部１１２の各種演算を経て算出されたゲインＧＯＵＴは、時間方向制御部１１２のフレームメモリＦＭ１に一時的に記憶され、演算に使用される。ある瞬間に入力されたゲインＧＩＮに対して、その瞬間のフレームメモリＦＭ１に記憶されている値は、その直前に入力されたゲインＧＩＮに基づいて算出されたゲインＧＯＵＴである。
【００８８】
加算部１２２は、入力されたゲインＧＩＮの符号を反転させた値と、フレームメモリＦＭ１に記憶されている値とを加算する。加算部１２２は、算出した値Ｖ１を、乗算部１２４に出力する。加算部１２２の出力値Ｖ１は、ある瞬間に入力されたゲインＧＩＮを、その瞬間の直前に出力されたゲインＧＯＵＴから減算した値となる。
【００８９】
直前に出力したゲインＧＯＵＴより小さい値のゲインＧＩＮが加算部１２２に入力された場合、加算部１２２の出力値Ｖ１は正となる。一方、直前に出力したゲインＧＯＵＴより大きい値のゲインＧＩＮが加算部１２２に入力された場合、加算部１２２の出力値Ｖ１は負となる。
【００９０】
乗算部１２４は、加算部１２２の出力値Ｖ１と、応答制御値ＶＣとを乗算する。乗算部１２４は、算出した値Ｖ２を、加算部１２６に出力する。加算部１２６は、入力されたゲインＧＩＮと、乗算部１２４により入力された値Ｖ２を加算する。加算部１２６は、算出した値を時間方向制御部１１２が出力するゲインＧＯＵＴとして出力する。
【００９１】
ここで、乗算部１２４に入力される応答制御値ＶＣは、０よりも大きく、１よりも小さい値である。応答制御値ＶＣが０に近いほど、加算部１２６の演算において、フレームメモリＦＭ１に記憶されている値に基づいて算出された値Ｖ１の影響が小さい。つまり、入力ビデオ信号の変化に応じて、ゲインを高速で応答させることとなる。
【００９２】
また、応答制御値ＶＣが１に近いほど、加算部１２６の演算において、フレームメモリＦＭ１に記憶されている値に基づいて算出された値Ｖ１の影響が大きい。つまり、入力ビデオ信号が変化しても、直前のフレームの値を維持するように、ゲインを低速で応答させることとなる。
【００９３】
以上、図１１を参照しながら、上記処理を行う時間方向制御部１１２の構成の一例について説明した。
【００９４】
［２−３：制御値選択部１１０が行う処理（図１２）］
以下では、図１２を参照しながら、制御値選択部１１０の構成の一例について説明する。図１２は、本実施形態に係る制御値選択部１１０の構成の一例について説明するための説明図である。
【００９５】
上記のように、制御値選択部１１０は、応答制御値ＶＣを、時間方向制御部１１２に出力する。以下では、制御値選択部１１０が予め設定された値であるＫ１及びＫ２の２値から選択したＶＣ１を、応答制御値ＶＣとして時間方向制御部１１２に出力する場合について説明する。
【００９６】
Ｋ１は時間方向制御部１１２に高速の応答制御をさせるための応答制御値であり、例えば約０に設定される。また、Ｋ２は時間方向制御部１１２に低速の応答制御をさせるための応答制御値であり、例えば約０．９に設定される。
【００９７】
図１２に示すように、制御値選択部１１０に入力されたフレーム間差分Ｄは、制御値選択部１１０の判定部１３２に入力される。判定部１３２は、フレーム間差分Ｄが、予め設定された閾値ＴＨより大きいか否かを判定する。
【００９８】
フレーム間差分Ｄが閾値ＴＨより大きい場合、判定部１３２は１（真）を、セレクタ１３４に出力する。一方、フレーム間差分Ｄが閾値ＴＨ以下である場合、判定部１３２は０（偽）を、セレクタ１３４に出力する。
【００９９】
判定部１３２から１が入力された場合に、セレクタ１３４は、応答制御値ＶＣ１として高速の応答制御をさせるためのＫ１を選択し、時間方向制御部１１２の乗算部１２４に出力する。一方、判定部１３２から０が入力された場合に、セレクタ１３４は、応答制御値ＶＣ１として低速の応答制御をさせるためのＫ２を選択し、時間方向制御部１１２の乗算部１２４に出力する。
【０１００】
なお、上記では応答制御値Ｋ１は約０に設定される場合について説明したが、その値に限られず、ゲインを高速で応答させるための応答制御値であればよい。また、上記では応答制御値Ｋ２は約０．９に設定される場合について説明したが、その値に限られず、ゲインを低速で応答させるための応答制御値であればよい。
【０１０１】
以上、図１２を参照しながら、制御値選択部１１０の構成の一例について説明した。
【０１０２】
［２−４：処理の流れ］
（２−４−１：ＡＢＬ制御部１００が行う処理の流れ（図１３））
以下では、図１３を参照しながら、ＡＢＬ制御部１００が行う処理の流れについて説明する。図１３は、本実施形態に係るＡＢＬ制御部１００が行う処理の流れの一例について説明するための説明図である。
【０１０３】
図１３に示すように、まず、リニア変換部１０２は、入力されたビデオ信号のリニア変換を行う（Ｓ１０２）。
【０１０４】
次に、一画面電流平均値算出部１０４は、リニア変換後のビデオ信号の各フレームについて、一画面電流平均値を算出する（Ｓ１０４）。
【０１０５】
次に、ゲイン算出部１０６は、算出された一画面電流平均値に基づいて、各フレームの輝度を調節するためのゲインを算出する（Ｓ１０６）。
【０１０６】
次に、フレーム間差分算出部１０８は、算出された一画面電流平均値について、フレーム間の差分（フレーム間差分）を算出する（Ｓ１０８）。
【０１０７】
次に、制御値選択部１１０は、算出されたフレーム間差分に基づいて、時間方向制御部１１２の応答制御を行なうための応答制御値を選択する（Ｓ１１０）。
【０１０８】
次に、時間方向制御部１１２は、算出されたゲインの時間方向の応答制御を行う（Ｓ１１２）。このとき、時間方向制御部１１２により、ゲインの応答速度が調節される。
【０１０９】
次に、ゲイン制御部１１４は、時間方向の応答制御が行なわれたゲインを用いて、リニア変換部１０２から入力された信号のゲイン制御を行なう（Ｓ１１４）。ゲイン制御部１１４は、ゲイン制御を行なうと、ゲイン制御を行なった後の信号を、表示制御部１１６に出力する。その後、ＡＢＬ制御部１００は、ＡＢＬ制御に関する一連の処理を終了する。
【０１１０】
以上、図１３を参照しながら、ＡＢＬ制御部１００が行う処理の流れについて説明した。なお、一部の処理ステップについては、処理の順序を入れ替えてもよい。
【０１１１】
（２−４−２：時間方向制御部１１２が行う処理の流れ（図１４））
以下では、図１４を参照しながら、時間方向制御部１１２が行う処理の流れについて説明する。図１４は、本実施形態に係る時間方向制御部１１２が行う処理の流れの一例について説明するための説明図である。
【０１１２】
図１４に示すように、時間方向制御部１１２は、まず、ゲインのフレーム間差分を算出する（Ｓ２０２）。フレーム間差分を算出する際に、ゲインのフレームメモリに一時的に記憶された値が利用される。
【０１１３】
次に、時間方向制御部１１２は、制御値選択部１１０により選択された応答制御値と、算出したゲインのフレーム間差分とを乗算する（Ｓ２０４）。
【０１１４】
次に、時間方向制御部１１２は、上記ステップＳ２０４で算出した値と、時間方向制御部１１２に入力されたゲインの値とを加算することにより、ゲインの時間方向の応答制御を行なう（Ｓ２０６）。
【０１１５】
時間方向制御部１１２は、入力される応答制御値の値によって、ゲインの時間方向の応答制御の速度を調節する。なお、応答制御値は各フレームの一画面電流平均値のフレーム間差分に基づいて算出されている。
【０１１６】
平均電流値のフレーム間差分が大きいときは、時間方向制御部１１２は、表示部１１８の発光素子や電源の保護の観点から、ゲインを高速で応答させる。一方、平均電流値のフレーム間差分が小さいときは、時間方向制御部１１２は、画質劣化を防止するために、ゲインを低速で応答させる。
【０１１７】
時間方向制御部１１２は、ゲインの時間方向の応答制御を行なうと、制御後のゲインをゲイン制御部１１４に出力し、一連の処理を終了する（Ｓ２０６）。
【０１１８】
以上、図１４を参照しながら、時間方向制御部１１２が行う処理について説明した。
【０１１９】
（２−４−３：制御値選択部１１０が行う処理の流れ（図１５））
以下では、図１５を参照しながら、制御値選択部１１０が行う処理の流れについて説明する。図１５は、本実施形態に係る制御値選択部１１０が行う処理の流れの一例について説明するための説明図である。
【０１２０】
図１５に示すように、一画面電流平均値のフレーム間差分Ｄが入力されると（Ｓ３０２）、制御値選択部１１０は、一画面電流平均値のフレーム間差分Ｄが閾値ＴＨより大きい値であるか否かを判定する（Ｓ３０４）。
【０１２１】
一画面電流平均値のフレーム間差分Ｄが閾値ＴＨより大きい場合に、制御値選択部１１０は、応答制御値ＶＣ１としてＫ１を選択する（Ｓ３０６）。なお、Ｋ１は、時間方向制御部１１２に高速の応答制御をさせるための応答制御値であり、例えば約０に設定される。
【０１２２】
一方、一画面電流平均値のフレーム間差分Ｄが閾値ＴＨ以下である場合に、制御値選択部１１０は、応答制御値ＶＣ１としてＫ２を選択する（Ｓ３０８）。なお、Ｋ２は、時間方向制御部１１２に低速の応答制御をさせるための応答制御値であり、例えば約０．９に設定される。
【０１２３】
制御値選択部１１０は、選択した応答制御値ＶＣ１を、時間方向制御部１１２に出力し、一連の処理を終了する（Ｓ３１０）。
【０１２４】
以上、図１５を参照しながら、制御値選択部１１０が行う処理の流れについて説明した。
【０１２５】
［２−５：時間方向制御による効果（図１６）］
以下では、図５及び図１６を参照しながら、本実施形態による効果について説明する。図５は、テロップ出没によるゲイン変化について説明するための説明図である。図１６は、本実施形態による効果について説明するための説明図である。図１６の横軸は、一画面電流平均値Ｉを表している。また、図１６の縦軸は、時間方向制御後のゲインＧＯＵＴを表している。
【０１２６】
時間方向の応答制御を行わない場合、入力されるビデオ信号の一画面電流平均値の変化に対して、高速でゲインを応答させていた。それに対し、本実施形態によれば、入力されるビデオ信号の一画面電流平均値の変化に対して、ゲインを高速で応答させたり、低速で応答させたりすることができる。
【０１２７】
以下では、テロップが出没するなど、入力されるビデオ信号の一部のみに輝度変化があるときに行うＡＢＬ制御について、時間方向の応答制御を行わない場合と、本実施形態によって時間方向の応答制御を行う場合とを比較しながら説明する。
【０１２８】
図５を参照しながら上述したように、時間方向の応答制御を行わないＡＢＬ制御においては、テロップの出没などのビデオ信号の一部のみの輝度変化による一画面電流平均値Ｉの変化によっても、ゲインが大きく変化してしまっていた。
【０１２９】
一方、図１６に示すように、時間方向の応答制御を行う本実施形態によるＡＢＬ制御においては、テロップ出没により、一画面電流平均値ＩがΔＩだけ変化しても、算出されるゲインＧＯＵＴの値は維持される。つまり、本実施形態によれば、関数ＧＯＵＴ＝ＴＨ／Ｉで表されるグラフと、そのグラフをΔＩだけ平行移動したＧＯＵＴ＝ＴＨ／Ｉのグラフとを移動しながらゲインＧＯＵＴを算出することと同様の効果が得られる。
【０１３０】
これは、ＡＢＬが動作していないのと同様である。つまり、ＡＢＬ制御部１００への入力ビデオ信号の電流値の変化に応じて、表示部１１８へ出力するビデオ信号の電流値が変化することを意味している。
【０１３１】
このとき、表示部１１８へ出力するビデオ信号の電流値の変化量は、テロップ出没による入力ビデオ信号の一画面電流平均値Ｉの変化量ΔＩと等しくなる。
【０１３２】
更に、ＡＢＬ制御を行う一画面電流平均値Ｉの境界（ＡＢＬポイント）である閾値ＴＨを、予めこの変化量を見越して設定することにより、表示部１１８の発光素子への過電流防止と、表示部１１８の高画質化の両方を実現することが可能になる。
【０１３３】
ここで、大型の表示装置では、ＡＢＬ制御による時間方向に連続な動画コンテンツの、時間方向に急峻な輝度変化による画質劣化が人間に特に知覚されやすい。そのため、大型の表示装置の場合、本実施形態に係る技術を適用することによる効果は特に高い。
【０１３４】
以上、図１６を参照しながら、本実施形態による効果について説明した。
【０１３５】
＜３：変形例＞
以上では、本実施形態に係るＡＢＬ制御部１００の基本構成について説明したが、本実施形態に係る技術の適用範囲はこれに限定されない。例えば、以下に例示する変形例についても当然に、本実施形態に係る技術の適用範囲に含まれる。
【０１３６】
［３−１：第１変形例（信号変換により応答制御値を算出；図１７）］
以下では、図１７を参照しながら、本実施形態に係る第１変形例について説明する。第１変形例に係るＡＢＬ制御部は、上記のＡＢＬ制御部１００の基本構成に含まれる制御値選択部１１０を、下記の信号変換部１１１で置換した構成である。なお、信号変換部１１１以外の他のＡＢＬ制御部１００の構成要素については、上記の基本構成と同様であるため、説明を省略する。
【０１３７】
図１７は、本実施形態に係る第１変形例について説明するための説明図である。図１７に示すように、信号変換部１１１には、フレーム間差分算出部１０８により算出された一画面電流平均値のフレーム間差分Ｄが入力される。
【０１３８】
信号変換部１１１は、一画面電流平均値のフレーム間差分Ｄを、応答制御値ＶＣ２に変換する。信号変換部１１１が行う変換方法は、小さい値の一画面電流平均値のフレーム間差分Ｄを、ゲインの応答を遅くするような応答制御を行うための応答制御値ＶＣ２に変換する変換方法であればよい。
【０１３９】
例えば、一画面電流平均値のフレーム間差分Ｄの値の最小値ＤＭＩＮが入力された場合に、信号変換部１１１は、１を応答制御値ＶＣ２として出力する。また、一画面電流平均値のフレーム間差分Ｄの最大値ＤＭＡＸが入力された場合に、信号変換部１１１は、０を応答制御値ＶＣ２として出力する。
【０１４０】
一画面電流平均値のフレーム間差分Ｄとして最小値ＤＭＩＮ及び最大値ＤＭＡＸ以外の値が入力された場合には、信号変換部１１１は、入力された一画面電流平均値のフレーム間差分Ｄの値を線形変換して、０と１との間の値を出力する。
【０１４１】
上記のように、信号変換部１１１が出力する応答制御値ＶＣ２は、０又は１の２値に限られない。そのため、一画面電流平均値のフレーム間差分Ｄに対応するゲインの応答制御を、より適切に行うことが可能になる。
【０１４２】
［３−２：第２変形例（２つの閾値により応答制御値を選択；図１８）］
以下では、図１８を参照しながら、本実施形態に係る第２変形例について説明する。本変形例は、２つの閾値により応答制御値を選択する構成に関する。本変形例によれば、ＡＢＬ制御部１００に入力されるビデオ信号の輝度が増加する場合だけでなく、輝度が減少する場合についても考慮して、ゲインの応答制御を行うことが可能になる。
【０１４３】
本変形例に係るＡＢＬ制御部は、上記ＡＢＬ制御部１００の基本構成に含まれるフレーム間差分算出部１０８を、フレーム間差分算出部２０８で置換し、更に制御値選択部１１０を、制御値選択部２１０で置換した構成である。
【０１４４】
図１８は、本変形例について説明するための説明図である。まず、フレーム間差分算出部２０８について説明する。
【０１４５】
図１８に示すように、フレーム間差分算出部２０８は、一画面電流平均値ＩをフレームメモリＦＭ２に格納する。あるフレームの一画面電流平均値Ｉがフレーム間差分算出部２０８に入力された瞬間のフレームメモリＦＭ２には、その直前にフレーム間差分算出部２０８に入力されたフレームの一画面電流平均値Ｉが記憶されている。
【０１４６】
フレーム間差分算出部２０８の加算部２２２は、ある瞬間に入力された一画面電流平均値Ｉの符号を反転させた値と、フレームメモリＦＭ２に記憶されている値とを加算する。加算部２２２は、算出した値Ｄ１を、制御値選択部２１０の判定部２３２に出力する。
【０１４７】
ここで、ＡＢＬ制御部１００に入力されたビデオの輝度が減少した場合（換言すれば、明るいフレームから暗いフレームに切り替わった場合）に、加算部２２２の出力値Ｄ１の符号は正になる。
【０１４８】
また、フレーム間差分算出部２０８の加算部２２４は、ある瞬間に入力された一画面電流平均値Ｉと、フレームメモリＦＭ２に記憶されている値を反転させた値とを加算する。加算部２２４は、算出した値Ｄ２を、制御値選択部２１０の判定部２３６及び判定部２４０に出力する。
【０１４９】
ここで、ＡＢＬ制御部１００に入力されたビデオの輝度が増加した場合（換言すれば、暗いフレームから明るいフレームに切り替わった場合）に、加算部２２４の出力値Ｄ２の符号は正になる。
【０１５０】
なお、加算部２２２の出力値Ｄ１と、加算部２２４の出力値Ｄ２とは、絶対値が等しく、反対の符号を有する値である。
【０１５１】
以上、フレーム間差分算出部２０８が行う処理について説明した。
【０１５２】
次に、制御値選択部２１０が行う処理について説明する。制御値選択部２１０の判定部２３２は、入力された値Ｄ１が、予め設定された閾値ＴＨ１より大きいか否かを判定する。
【０１５３】
値Ｄ１が閾値ＴＨ１より大きい場合、判定部２３２は１（真）を、セレクタ２３４に出力する。一方、値Ｄ１が閾値ＴＨ１以下である場合、判定部２３２は０（偽）を、セレクタ２３４に出力する。
【０１５４】
セレクタ２３４は、応答制御値ＶＣ３ＤとしてＫＤ１又はＫＤ２のいずれかを選択する。ＫＤ１は時間方向制御部１１２に高速の応答制御をさせるための応答制御値であり、例えば約０に設定される。また、ＫＤ２は時間方向制御部１１２に低速の応答制御をさせるための応答制御値であり、例えば約０．９に設定される。
【０１５５】
判定部２３２から１が入力された場合に、セレクタ２３４は、応答制御値ＶＣ３Ｄとして高速の応答制御をさせるためのＫＤ１を選択し、セレクタ２４２に出力する。一方、判定部２３２から０が入力された場合に、セレクタ２３４は、応答制御値ＶＣ３Ｄとして低速の応答制御をさせるためのＫＤ２を選択し、セレクタ２４２に出力する。
【０１５６】
また、判定部２３６は、入力された値Ｄ２が、予め設定された閾値ＴＨ２より大きいか否かを判定する。
【０１５７】
値Ｄ２が閾値ＴＨ２より大きい場合、判定部２３６は１（真）を、セレクタ２３８に出力する。一方、値Ｄ２が閾値ＴＨ２以下である場合、判定部２３６は０（偽）を、セレクタ２３８に出力する。
【０１５８】
セレクタ２３８は、応答制御値ＶＣ３ＵとしてＫＵ１又はＫＵ２のいずれかを選択する。ＫＵ１は時間方向制御部１１２に高速の応答制御をさせるための応答制御値であり、例えば約０に設定される。また、ＫＵ２は時間方向制御部１１２に低速の応答制御をさせるための応答制御値であり、例えば約０．９に設定される。
【０１５９】
判定部２３６から１が入力された場合に、セレクタ２３８は、応答制御値ＶＣ３Ｕとして高速の応答制御をさせるためのＫＵ１を選択し、セレクタ２４２に出力する。一方、判定部２３６から０が入力された場合に、セレクタ２３６は、応答制御値ＶＣ３Ｕとして低速の応答制御をさせるためのＫＵ２を選択し、セレクタ２４２に出力する。
【０１６０】
また、判定部２４０は、入力された値Ｄ２が正であるか否かを判定する。ＡＢＬ制御部１００に入力されたビデオ信号が暗いフレームから明るいフレームへ切り替わった場合に、値Ｄ２は正となる。この場合、判定部２４０は、１（真）を、セレクタ２４２へ出力する。
【０１６１】
一方、ＡＢＬ制御部１００に入力されたビデオ信号が明るいフレームから暗いフレームへ切り替わった場合に、値Ｄ２は負となる。この場合、判定部２４０は、０（偽）を、セレクタ２４２へ出力する。
【０１６２】
上記のように、セレクタ２４２には、フレーム間差分のうち、Ｄ１に基づき選択された応答制御値ＶＣ３Ｄと、Ｄ２に基づき選択された応答制御値ＶＣ３Ｕとが入力される。セレクタ２４２は、判定部２４０から入力された１又は０の２値に基づき、この２つの応答制御値ＶＣ３Ｄ及びＶＣ３Ｕのいずれか一方を選択する。
【０１６３】
なお、値Ｄ１は、明るいフレームから暗いフレームになる場合に正となる。また、値Ｄ２は、暗いフレームから明るいフレームになる場合に正となる。
【０１６４】
セレクタ２４２は、明るいフレームから暗いフレームになる場合に、値Ｄ１に基づき選択された応答制御値ＶＣ３Ｄを選択する。つまり、セレクタ２４２は、判定部２４０から０が入力された場合に、応答制御値ＶＣ３Ｄを選択する。
【０１６５】
セレクタ２４２は、暗いフレームから明るいフレームになる場合に、値Ｄ２に基づき選択された応答制御値ＶＣ３Ｕを選択する。つまり、セレクタ２４２は、判定部２４０から１が入力された場合に、応答制御値ＶＣ３Ｕを選択する。
【０１６６】
セレクタ２４２は、選択した応答制御値ＶＣ３を、時間方向制御部１１２へ出力する。
【０１６７】
以上、図１８を参照しながら、本実施形態に係る第２変形例について説明した。上記のように、本変形例によれば、ＡＢＬ制御部１００に入力されるビデオ信号が暗いフレームから明るいフレームへ切り替わる場合に加え、明るいフレームから暗いフレームへ切り替わる場合についても、ゲインの時間方向の応答制御を行うことが可能になる。
【０１６８】
更に、判定部２３２の閾値ＴＨ１と、判定部２３６の閾値ＴＨ２とは、異なる値に設定することも可能である。以下では、閾値ＴＨ１を閾値ＴＨ２より大きい値に設定する場合の例について説明する。
【０１６９】
閾値ＴＨ１を大きい値とすると、ＡＢＬ制御部１００に入力されるビデオ信号が明るいフレームから暗いフレームに切り替わった場合に、判定部２３２により０（偽）が出力される可能性が高くなる。この場合に、セレクタ２３４は、ゲインを低速で応答させる応答制御値ＫＤ２を選択する可能性が高くなる。
【０１７０】
一方、閾値ＴＨ２を小さい値とすると、ＡＢＬ制御部１００に入力されるビデオ信号が暗いフレームから明るいフレームに切り替わった場合に、判定部２３６により１（真）が出力される可能性が高くなる。この場合に、セレクタ２３８は、ゲインを高速で応答させる応答制御値ＫＵ１を選択する可能性が高くなる。
【０１７１】
本変形例によれば、暗いフレームから明るいフレームへの切り替えにおいては、表示部１１８の発光素子や電源への過電流の防止を優先して、入力ビデオ信号の変化にゲインを高速で応答させることが可能である。一方、明るいフレームから暗いフレームへの切り替えにおいては、表示部１１８の保護の必要性が低いため、画質を優先して、入力ビデオ信号の変化にゲインを低速で応答させることが可能である。
【０１７２】
このように、本変形例によれば、過電流の防止と高画質化を両立させることが可能になる。
【０１７３】
［３−３：第３変形例（テロップの有無情報を利用；図１９）］
以下では、図１９を参照しながら、本実施形態に係る第３変形例について説明する。第３変形例に係るＡＢＬ制御部３００は、上記のＡＢＬ制御部１００の基本構成に含まれるフレーム間差分算出部１０８を削除し、下記のテロップ出没判定部３０８を追加した構成である。図１９は、本変形例について説明するための説明図である。
【０１７４】
リニア変換部１０２は、リニア変換後のビデオ信号を、一画面電流平均値算出部１０４に加え、テロップ出没判定部３０８にも出力する。テロップ出没判定部３０８は、ＡＢＬ制御部３００への入力ビデオ信号の各フレームにテロップが含まれるか否かを判定する。テロップ出没判定部３０８は、例えば、入力されたビデオ信号のエッジ検出を行い、エッジ検出結果を用いてテロップに含まれる文字を検出することにより、入力信号のテロップの出没を判定する。
【０１７５】
テロップの検出方法については、例えば、特開２００９−０３８６７１号公報を参照されたい。
【０１７６】
テロップ出没判定部３０８は、テロップの出没を検出した場合は、０を制御値選択部１１０へ出力し、テロップの出没を検出しない場合は、１を制御値選択部１１０へ出力する。
【０１７７】
テロップ出没判定部３０８と組み合わせた場合、制御値選択部１１０の判定部１３２は削除し、テロップ出没判定部３０８から入力された値がそのまま制御値選択部１１０のセレクタ１３４に入力されるようにする。
【０１７８】
テロップの出没が検出された場合、セレクタ１３４には０が入力される。この場合、セレクタ１３４は、応答制御値ＶＣとして、低速でゲインを応答させる制御を行うためのＫ２を選択する。また、テロップの出没が検出されない場合、セレクタ１３４には１が入力される。この場合、セレクタ１３４は、応答制御値ＶＣとして、高速でゲインを応答させる制御を行うためのＫ１を選択する。
【０１７９】
本変形例によれば、ゲインの応答速度の制御に先立ち、テロップの出没が直接判定される。そのため、テロップの出没に対するゲインの応答速度の制御を、より適切に行うことが可能になる。
【０１８０】
以上、図１９を参照しながら、本実施形態に係る第３変形例について説明した。
【０１８１】
［３−４：第４変形例（Ｃｏｄｅｃ情報を利用；図２０）］
以下では、図２０を参照しながら、本実施形態に係る第４変形例について説明する。第４変形例に係るＡＢＬ制御部４００は、上記のＡＢＬ制御部１００の基本構成に含まれるフレーム間差分算出部１０８を削除し、下記のＣｏｄｅｃ情報取得部４０８を追加した構成である。図２０は、本変形例について説明するための説明図である。
【０１８２】
Ｃｏｄｅｃ情報取得部４０８は、ＡＢＬ制御部３００への入力ビデオ信号の各フレームのＣｏｄｅｃ情報を取得する。一般に、表示装置に入力されるビデオ信号は、符号化された状態で入力される。そのため、表示装置は、信号の符号化及び復号化を行うＣｏｄｅｃを備える。
【０１８３】
Ｃｏｄｅｃ情報取得部４０８は、表示装置１０に含まれ、入力ビデオ信号の復号化を行うＣｏｄｅｃから、復号化を行った際のＣｏｄｅｃ情報を取得する。Ｃｏｄｅｃ情報には、例えば、フレーム間差分に関する情報や、入力されたビデオに含まれる物体の動きベクトルに関する情報が含まれる。
【０１８４】
Ｃｏｄｅｃ情報に含まれるフレーム間差分に関する情報は、例えば、ＡＢＬ制御部１００の基本構成におけるフレーム間差分算出部１０８の出力値と同様に、制御値選択部１１０に扱われる。
【０１８５】
Ｃｏｄｅｃ情報に含まれる物体の動きベクトルに関する情報から、例えば、あるフレームに含まれていた物体が次のフレームに含まれないといったことが分かる。そのため、Ｃｏｄｅｃ情報に含まれる物体の動きベクトルは、ビデオ信号の変化の検出に用いることができる。
【０１８６】
また、例えば、物体の動きベクトルが小さいときは、輝度の変化が人間に知覚されやすいため、画質を優先して、ゲインを低速で応答させるために、制御値選択部１１０に０を出力したりしてもよい。
【０１８７】
一方で、物体の動きベクトルが大きいときは、表示部１１８の発光素子などの保護を優先して、ゲインを高速で応答させるために、制御値選択部１１０に１を出力したりしてもよい。
【０１８８】
Ｃｏｄｅｃ情報取得部４０８と組み合わせた場合、制御値選択部１１０の判定部１３２は削除し、Ｃｏｄｅｃ情報取得部４０８から入力された値がそのまま制御値選択部１１０のセレクタ１３４に入力されるようにする。
【０１８９】
セレクタ１３４に０が入力された場合、セレクタ１３４は、応答制御値ＶＣとして、低速でゲインを応答させる制御を行うためのＫ２を選択する。また、セレクタ１３４には１が入力された場合、セレクタ１３４は、応答制御値ＶＣとして、高速でゲインを応答させる制御を行うためのＫ１を選択する。
【０１９０】
本変形例によれば、ビデオ信号の符号化及び復号化の際に使用されるＣｏｄｅｃ情報を有効に活用し、入力ビデオ信号の変化に対するゲインの応答速度を制御することが可能になる。
【０１９１】
以上、図２０を参照しながら、本実施形態に係る第４変形例について説明した。
【０１９２】
＜４：まとめ＞
最後に、本実施形態の技術的思想について簡単に纏める。以下に記載する技術的思想は、例えば、自発光型のディスプレイ装置、ディスプレイ装置と同等の表示機能を搭載した携帯電話、ゲーム機、情報端末、パーソナルコンピュータなどに対して適用することができる。
【０１９３】
例えば、下記の（１）に記載の表示装置によれば、入力ビデオ信号の増加が急峻な場合に、ビデオ信号を制御するためのゲインが入力ビデオ信号に高速で応答する。その結果、発光素子や電源への過電流を防止される。一方、入力ビデオ信号の増加が緩慢な場合に、ビデオ信号を制御するためのゲインが入力ビデオ信号に低速で応答する。その結果、表示装置の画面の輝度が安定し、画質の劣化が防止される。
【０１９４】
（１）
入力ビデオ信号の増加が急峻な場合に、ビデオ信号を制御するためのゲインを前記入力ビデオ信号に高速で応答させ、入力ビデオ信号の増加が緩慢な場合に、前記ゲインを前記入力ビデオ信号に低速で応答させる時間方向制御部を備える表示装置。
【０１９５】
（２）
フレーム間における電流値の差分に基づいて、前記ゲインを前記入力ビデオ信号に応答させる速度を調節する応答制御値を選択する制御値選択部を更に備え、
前記時間方向制御部は、前記応答制御値に基づいて、前記ゲインを前記入力ビデオ信号に応答させる速度を調節する、
前記（１）に記載の表示装置。
【０１９６】
（３）
テロップが出没した場合に、前記ゲインを前記入力ビデオ信号に高速で応答させる高速応答制御値を選択し、テロップが出没していない場合に、前記ゲインを前記入力ビデオ信号に低速で応答させる低速応答制御値を選択する制御値選択部を更に備え、
前記時間方向制御部は、前記応答制御値に基づいて、前記ゲインを前記入力ビデオ信号に応答させる速度を調節する、
前記（１）に記載の表示装置。
【０１９７】
（４）
Ｃｏｄｅｃの情報に基づいて、前記ゲインを前記入力ビデオ信号に応答させる速度を調節する応答制御値を選択する制御値選択部を更に備え、
前記時間方向制御部は、前記応答制御値に基づいて、前記ゲインを前記入力ビデオ信号に応答させる速度を調節する、
前記（１）に記載の表示装置。
【０１９８】
（５）
前記制御値選択部は、
フレーム間における電流値の増加量が所定の閾値より大きい場合に、前記ゲインを前記入力ビデオ信号に高速で応答させる高速応答制御値を選択し、フレーム間における電流値の増加量が所定の閾値より小さい場合に、前記ゲインを前記入力ビデオ信号に低速で応答させる低速応答制御値を選択する、
前記（２）に記載の表示装置。
【０１９９】
（６）
フレーム間における電流値の増加量を、前記ゲインを前記入力ビデオ信号に応答させる速度を調節する連続値である前記応答制御値に変換する信号変換部を更に備え、
前記時間方向制御部は、
前記応答制御値に基づいて、前記ゲインを前記入力ビデオ信号に応答させる速度を調節する、
前記（２）に記載の表示装置。
【０２００】
（７）
前記制御値選択部は、
フレーム間における電流値が減少し、かつ、当該電流値の減少量が第１閾値より大きい場合に、前記ゲインを前記入力ビデオ信号に高速で応答させる前記応答制御値として、第１高速応答制御値を選択し、
フレーム間における電流値が減少し、かつ、当該電流値の減少量が第１閾値より小さい場合に、前記ゲインを前記入力ビデオ信号に低速で応答させる前記応答制御値として、第１低速制御値を選択し、
フレーム間における電流値が増加し、かつ、当該電流値の増加量が第２閾値より大きい場合に、前記ゲインを前記入力ビデオ信号に高速で応答させる前記応答制御値として、第２高速応答制御値を選択し、
フレーム間における電流値が増加し、かつ、当該電流値の増加量が第２閾値より小さい場合に、前記ゲインを前記入力ビデオ信号に低速で応答させる前記応答制御値として、第２低速応答制御値を選択する、
前記（２）に記載の表示装置。
【０２０１】
（８）
自発光型の発光素子からなる表示部と、
ゲイン調整された前記入力ビデオ信号に応じて前記表示部の表示を制御する表示制御部と、
を更に備える、
前記（１）〜（７）のいずれかに記載の表示装置。
【０２０２】
（９）
入力ビデオ信号の増加が急峻な場合に、ビデオ信号を制御するためのゲインを前記入力ビデオ信号に高速で応答させ、入力ビデオ信号の増加が緩慢な場合に、前記ゲインを前記入力ビデオ信号に低速で応答させる時間方向制御機能を有する集積回路。
【０２０３】
（１０）
入力ビデオ信号の増加が急峻な場合に、ビデオ信号を制御するためのゲインを前記入力ビデオ信号に高速で応答させ、入力ビデオ信号の増加が緩慢な場合に、前記ゲインを前記入力ビデオ信号に低速で応答させるステップを含む制御方法。
【０２０４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【符号の説明】
【０２０５】
１０    表示装置
１００  制御部
１０２  リニア変換部
１０４  一画面電流平均値算出部
１０６  ゲイン算出部
１０８  フレーム間差分算出部
１１０  制御値選択部
１１１  信号変換部
１１２  時間方向制御部
１１４  ゲイン制御部
１１６  表示制御部
１１８  表示部
３０８  テロップ出没判定部
４０８  Ｃｏｄｅｃ情報取得部
【図１】
0006019341.tif 000002
【図２】
0006019341.tif 000003
【図３】
0006019341.tif 000004
【図４】
0006019341.tif 000005
【図５】
0006019341.tif 000006
【図６】
0006019341.tif 000007
【図７】
0006019341.tif 000008
【図８】
0006019341.tif 000009
【図９】
0006019341.tif 000010
【図１０】
0006019341.tif 000011
【図１１】
0006019341.tif 000012
【図１２】
0006019341.tif 000013
【図１３】
0006019341.tif 000014
【図１４】
0006019341.tif 000015
【図１５】
0006019341.tif 000016
【図１６】
0006019341.tif 000017
【図１７】
0006019341.tif 000018
【図１８】
0006019341.tif 000019
【図１９】
0006019341.tif 000020
【図２０】
0006019341.tif 000021